(57)【特許請求の範囲】
【請求項１】
硬貨投入口付近に配設され、投入硬貨の正否を識別する硬貨識別センサと、硬貨投入口に連なる硬貨通路の途中に配設され、正常の硬貨である場合に開放され、不正な硬貨である場合に開放されない通路開閉部材と、硬貨通路の終端付近に配設された硬貨通過確認センサとを備える両替機の不正防止装置において、
前記硬貨通過確認センサに近接して硬貨通路の終端近傍には、硬貨の通過に伴って作動される検出部材を配設し、その検出部材の作動により硬貨の通過時間を検出するように、検出部材に対向して硬貨通過時間検出センサを配設し、その硬貨通過時間検出センサによる検出時間が、予め設定された基準時間以内にあるか否かを判別する判別手段を設け、前記通路開閉部材の下流側近傍の硬貨通路に硬貨の順方向の通過を許容して逆方向の通過を阻止する逆止部材を配設した両替機の不正防止装置。
【請求項２】
前記判別手段は、硬貨識別センサの識別開始または識別終了から、硬貨通過時間検出センサの検出終了までの時間を判別する請求項１に記載の両替機の不正防止装置。
【請求項３】
前記判別手段は、硬貨通過確認センサの検出開始または検出終了から、硬貨通過時間検出センサの検出終了までの時間を判別する請求項１に記載の両替機の不正防止装置。
【請求項４】
前記判別手段は、硬貨通過時間検出センサの検出開始から検出終了までの時間を判別する請求項１に記載の両替機の不正防止装置。
【発明の詳細な説明】
【０００１】
【発明の属する技術分野】
この発明は、バス等に設置される硬貨用の両替機の不正防止装置に関するものである。
【０００２】
【従来の技術】
従来のこの種の両替機の不正防止装置においては、硬貨投入口付近に硬貨識別センサが配設され、硬貨投入口に連なる硬貨通路の途中には通路開閉部材が配設され、硬貨通路の終端付近には硬貨通過確認センサが配設されていた。そして、硬貨投入口から硬貨が投入されたとき、硬貨識別センサにより硬貨の正否及び種類が識別され、正常の硬貨である場合には、ソレノイド等により通路開閉部材が開放される。これにより、硬貨が硬貨通路を通過して回収ケース等に回収されるが、硬貨が硬貨通路の終端付近を通過するとき、硬貨通過確認センサによりその通過状態が確認される。その後、この確認に基づいて、識別された硬貨の種類に相当する小額硬貨が両替口から払い出される。
【０００３】
【発明が解決しようとする課題】
ところが、この従来の両替機の不正防止装置においては、硬貨識別センサにより投入硬貨の正否が識別されるとともに、硬貨通過確認センサにより硬貨通路における硬貨の通過状態が確認されるようになっている。このため、例えば正常硬貨を糸に吊した状態で硬貨投入口から投入し、硬貨通路中で硬貨通過確認センサと対応する部分を通過した後、糸によって硬貨を引き上げた場合には、投入硬貨が回収ケース等に回収されないにも拘らず、両替口から小額硬貨が払い出されるという問題があった。
【０００４】
この発明は、このような従来の技術に存在する問題点に着目してなされたものである。その目的とするところは、硬貨を見掛上で投入して小額硬貨の払い出しを受けるという、不正な両替行為を確実に防止することができる両替機の不正防止装置を提供することにある。
【０００５】
【課題を解決するための手段】
上記のような目的を達成するために、請求項１に記載の発明では、硬貨投入口付近に配設され、投入硬貨の正否を識別する硬貨識別センサと、硬貨投入口に連なる硬貨通路の途中に配設され、正常の硬貨である場合に開放され、不正な硬貨である場合に開放されない通路開閉部材と、硬貨通路の終端付近に配設された硬貨通過確認センサとを備える両替機の不正防止装置において、前記硬貨通過確認センサに近接して硬貨通路の終端近傍には、硬貨の通過に伴って作動される検出部材を配設し、その検出部材の作動により硬貨の通過時間を検出するように、検出部材に対向して硬貨通過時間検出センサを配設し、その硬貨通過時間検出センサによる検出時間が、予め設定された基準時間以内にあるか否かを判別する判別手段を設け、前記通路開閉部材の下流側近傍の硬貨通路に硬貨の順方向の通過を許容して逆方向の通過を阻止する逆止部材を配設したものである。
【０００６】
請求項２に記載の発明では、請求項１に記載の両替機の不正防止装置において、前記判別手段は、硬貨識別センサの識別開始または識別終了から、硬貨通過時間検出センサの検出終了までの時間を判別するようにしたものである。
【０００７】
請求項３に記載の発明では、請求項１に記載の両替機の不正防止装置において、前記判別手段は、硬貨通過確認センサの検出開始または検出終了から、硬貨通過時間検出センサの検出終了までの時間を判別するようにしたものである。
【０００８】
請求項４に記載の発明では、請求項１に記載の両替機の不正防止装置において、前記判別手段は、硬貨通過時間検出センサの検出開始から検出終了までの時間を判別するようにしたものである。
【０００９】
さて、請求項１に記載の両替機の不正防止装置においては、硬貨投入口から硬貨が投入されると、その硬貨の正否及び種類が硬貨識別センサによって識別される。そして、硬貨が正常であった場合には、ソレノイド等により通路開閉部材が開放され、投入硬貨は硬貨通路を通過して回収ケース等に回収される。一方、投入された物が正常な硬貨でない場合には、通路開閉部材が開放されず、投入物は硬貨通路の途中から返却口に導かれて返却される。
【００１０】
また、前記の正常な硬貨が回収ケース等に回収される場合には、その硬貨が硬貨通路の終端付近を通過する際に、その通過状態が硬貨通過確認センサによって確認される。それとともに、この硬貨通路の終端付近における硬貨の通過に伴い検出部材が作動されて、硬貨通過時間検出センサにより硬貨の通過時間が検出される。
【００１１】
判別手段は、硬貨通過時間検出センサの検出時間が、予め設定された基準時間以内にあるか否かを判別する。そして、検出時間が基準時間以内にあって、硬貨通過確認センサから通過確認の検出信号も入力されている場合には、硬貨識別センサにより識別された投入硬貨の種類に相当する小額硬貨を、両替口から払い出させる。
【００１２】
これに対して、例えば正常硬貨を糸に吊した状態で硬貨投入口から投入し、硬貨通路中で硬貨通過確認センサと対応する部分を通過した後、糸によって硬貨を引き上げるという不正な両替行為が試みられた場合には、硬貨通過時間検出センサの検出時間が基準時間よりも長くなる。従って、この状態が判別手段により判別されて、両替口から小額硬貨が払い出されることはない。また、通路開閉部材の下流側の硬貨通路中において、逆止部材により硬貨の逆方向への移動が阻止されて、不正な両替行為を一層確実に防止することができる。
【００１３】
請求項２に記載の両替機の不正防止装置においては、判別手段により、硬貨識別センサの識別開始または識別終了から、硬貨通過時間検出センサの検出終了までの時間が、基準時間以内にあるか否かが判別される。そのため、この判別結果に基づいて、不正な両替行為を確実に防止することができる。
【００１４】
請求項３に記載の両替機の不正防止装置においては、判別手段により、硬貨通過確認センサの検出開始または検出終了から、硬貨通過時間検出センサの検出終了までの時間が、基準時間以内にあるか否かが判別される。そのため、この判別結果に基づいて、不正な両替行為を確実に防止することができる。
【００１５】
請求項４に記載の両替機の不正防止装置においては、判別手段により、硬貨通過時間検出センサの検出開始から検出終了までの時間が、基準時間以内にあるか否かが判別される。そのため、この判別結果に基づいて、不正な両替行為を確実に防止することができる。
【００１６】
【発明の実施の形態】
（第１の実施形態）
以下に、この発明の第１の実施形態を、図面に基づいて詳細に説明する。
【００１７】
図１〜図４に示すように、一対のガイド板１１，１２は図示しない両替機のケース内に所定間隔をおいて垂直に配設されている。硬貨投入口１３は両ガイド板１１，１２の上端に配設され、この硬貨投入口１３から硬貨１４を投入するようになっている。硬貨通路１５は硬貨投入口１３に連なるように、複数のガイド片１６により両ガイド板１１，１２間に傾斜状に区画形成され、その下流側が回収通路１５ａと返却通路１５ｂとに分岐されている。
【００１８】
硬貨識別センサ１７は前記硬貨投入口１３付近に位置するように、一方のガイド板１１の外面に装着されている。そして、硬貨投入口１３から硬貨１４が投入されたとき、この硬貨識別センサ１７によって、硬貨１４が正しい物であるか否か、及び硬貨１４の種類が識別されるようになっている。
【００１９】
通路開閉部材１８は支持板１９を介して前記他方のガイド板１２の外面に回動可能に取り付けられ、その先端にはガイド板１１，１２の透孔２０を介して硬貨通路１５の分岐点に出没する櫛歯状の開閉部１８ａが形成されている。バネ２１は通路開閉部材１８と支持板１９との間に張設され、通常は図２に実線で示すように、このバネ２１の付勢力により、通路開閉部材１８の開閉部１８ａが硬貨通路１５内に突出配置されて、回収通路１５ａ側が閉止されている。
【００２０】
ソレノイド２２は前記支持板１９上に装着され、通路開閉部材１８の基端に対向配置されている。そして、このソレノイド２２が励磁されたときには、図２に鎖線で示すように、通路開閉部材１８がバネ２１の付勢力に抗して回動されて、その開閉部１８ａが硬貨通路１５内から外部に引き出される。これにより、硬貨通路１５の回収通路１５ａ側が開放される。
【００２１】
逆止部材２３は取付板２４を介して前記一方のガイド板１１の外面に回動可能に取り付けられ、ワイヤにより湾曲状に形成されている。そして、通常は図３に実線で示すように、この逆止部材２３がその一部に設けられた重り２３ａにより、ガイド板１１，１２の透孔２５を介して、通路開閉部材１８の開閉部１８ａの下流側近傍の回収通路１５ａ内に突出配置されている。
【００２２】
この状態で、通路開閉部材１８の開放に伴って、硬貨１４が回収通路１５ａ内に導入されたときには、図３に鎖線で示すように、通過する硬貨の重みで逆止部材２３が回収通路１５ａの外方に回動されて、硬貨１４の順方向への通過が許容される。その後、逆止部材２３が回収通路１５ａ内の突出位置に回動されて、硬貨１４の逆方向の通過が阻止される。
【００２３】
硬貨通過確認センサ２６は前記硬貨通路１５の回収通路１５ａの終端付近に位置するように、ガイド板１１，１２上に装設されている。この硬貨通過確認センサ２６は、取付部２７を介して一方のガイド板１１の外面に取り付けられた発光素子２６ａと、取付部２８を介して他方のガイド板１２の外面に取り付けられた受光素子２６ｂとから構成されている。
【００２４】
そして、通常はこの硬貨通過確認センサ２６の発光素子２６ａから、ガイド板１１，１２の透孔２９及び回収通路１５ａを介して、受光素子２６ｂに光が照射されている。また、この光が回収通路１５ａ内を通過する硬貨１４によって遮断されたとき、受光素子２６ｂから硬貨１４の通過の確認信号が出力される。
【００２５】
検出部材３０は前記硬貨通過確認センサ２６に近接して、硬貨通路１５の回収通路１５ａの終端近傍に位置するように、支軸３１により両ガイド板１１，１２間に回動可能に取り付けられている。また、この検出部材３０の中央には透孔３０ａが形成されるとともに、端縁にはストッパ３０ｂが形成されている。
【００２６】
そして、通常は図１に示すように、この検出部材３０が自重により回収通路１５ａ内の進入位置に回動配置されて、ストッパ３０ｂとガイド板１２の側縁との係合により、その進入位置に保持されている。さらに、図５に示すように、硬貨１４が回収通路１５ａ内を通過したときには、その硬貨１４によって検出部材３０が回収通路１５ａ外の突出位置に回動される。そして、通過後は再び回動配置され、硬貨１４の逆方向の通過が阻止される。
【００２７】
硬貨通過時間検出センサ３２は前記硬貨通過確認センサ２６の近傍において、検出部材３０と対向配置されるように、両ガイド板１１，１２上に装設されている。この硬貨通過時間検出センサ３２は、前記取付部２７を介して一方のガイド板１１の外面に取り付けられた発光素子３２ａと、取付部２８を介して他方のガイド板１２の外面に取り付けられた受光素子３２ｂとから構成されている。
【００２８】
そして、通常は図１に示すように、この硬貨通過時間検出センサ３２の発光素子３２ａから、ガイド板１１，１２の透孔３３及び検出部材３０の透孔３０ａを介して、受光素子３２ｂに光が照射されている。また、図５に示すように、硬貨１４の通過に伴い検出部材３０が突出位置に回動されたときには、この光が検出部材３０により遮断されて、受光素子３２ｂから硬貨１４の通過時間の検出信号が出力される。
【００２９】
次に、前記のように構成された両替機の不正防止装置における制御回路について説明する。
図６に示すように、中央処理装置（ＣＰＵ）３６は制御手段及び判別手段を構成し、このＣＰＵ３６にはリードオンリメモリ（ＲＯＭ）３７、ランダムアクセスメモリ（ＲＡＭ）３８、及びタイマ３９が接続されている。ＲＯＭ３７には両替機全体の動作を制御するためのプログラムや、図７に示すような硬貨識別センサ１７の識別開始から、硬貨通過時間検出センサ３２の検出終了までの時間Ｔ１に相当する基準時間のデータ等が記憶されている。
【００３０】
また、前記ＣＰＵ３６には、硬貨識別センサ１７からの識別信号、硬貨通過確認センサ２６からの検出信号及び硬貨通過時間検出センサ３２からの検出信号が入力される。そして、ＣＰＵ３６は、硬貨識別センサ１７から正常硬貨の識別信号が入力されたとき、駆動回路４０を介してソレノイド２２に励磁信号を出力して、通路開閉部材１８を回収通路１５ａの開放位置に回動させる。
【００３１】
さらに、ＣＰＵ３６は前記各センサ１７，２６，３２からの入力信号に基づいてタイマ３９に対し、硬貨識別センサ１７の識別開始から、硬貨通過時間検出センサ３２の検出終了までにかかった実際の時間Ｔ１を計時させる。そして、ＣＰＵ３６は、このタイマ３９で計時された実際の検出時間Ｔ１が、ＲＡＭ３８に記憶された基準時間以内にあるか否かを判別する。
【００３２】
この判別の結果、検出時間Ｔ１が基準時間以内にあって、硬貨通過確認センサ２６からも通過確認の検出信号が入力されている場合には、ＣＰＵ３６は硬貨識別センサ１７により識別された投入硬貨の種類に相当する小額硬貨を、図示しない払出ケースの両替口から払い出させる。一方、検出時間Ｔ１が基準時間を越えている場合には、ＣＰＵ３６は不正な両替行為が行われていると見做して、駆動回路４１を介してブザーまたはランプ等の報知器４２に作動信号を出力して、異常状態を報知させる。
【００３３】
次に、前記のように構成された両替機の不正防止装置の動作を説明する。
さて、この両替機の不正防止装置において、硬貨投入口１３から硬貨１４が投入されると、その硬貨１４の正否及び種類が硬貨識別センサ１７によって識別される。そして、硬貨１４が正常であった場合には、ＣＰＵ３６によりソレノイド２２が励磁されて、通路開閉部材１８が硬貨通路１５における回収通路１５ａの開放位置に回動される。これにより、投入硬貨１４は回収通路１５ａを通って、図示しない回収ケース等に回収される。
【００３４】
一方、投入された物が正常な硬貨でない場合、あるいは硬貨投入口１３に正常硬貨１４が短時間に連続して投入された場合には、ソレノイド２２が消磁状態に維持されて、通路開閉部材１８が開放回動されることはない。このため、投入物は硬貨通路１５の回収通路１５ａ側に導入されることなく、返却通路１５ｂを通って図示しない返却口から返却される。
【００３５】
また、前記のように正常な硬貨１４が回収ケース等に回収される場合には、その硬貨１４が回収通路１５ａの終端付近を通過する際に、硬貨通過確認センサ２６からＣＰＵ３６に通過確認の検出信号が出力される。それとともに、この回収通路１５ａの終端付近における硬貨１４の通過に伴い、図５に示すように検出部材３０が突出位置に回動されて、硬貨通過時間検出センサ３２からＣＰＵ３６に硬貨１４の通過時間の検出信号が出力される。
【００３６】
これらの検出信号に基づいて、ＣＰＵ３６は図７に示すようにタイマ３９に対し、硬貨識別センサ１７の識別開始から、硬貨通過時間検出センサ３２の検出終了までにかかった実際の時間Ｔ１を計時させる。そして、ＣＰＵ３６は、このタイマ３９で計時された実際の検出時間Ｔ１が、ＲＯＭ３７に記憶された基準時間以内にあるか否かを判別する。この判別の結果、検出時間Ｔ１が基準時間以内にあって、硬貨通過確認センサ２６からも通過確認の検出信号が入力されている場合には、ＣＰＵ３６は硬貨識別センサ１７により識別された投入硬貨の種類に相当する小額硬貨を、図示しない払出ケースの両替口から払い出させる。
【００３７】
これに対して、例えば正常硬貨１４を糸に吊した状態で硬貨投入口１３から投入し、硬貨通路１５の回収通路１５ａ中で硬貨通過確認センサ２６と対応する部分を通過した後、糸によって硬貨１４を引き上げるという不正な両替行為が試みられることがある。このような場合には、前記硬貨識別センサ１７の識別開始から、硬貨通過時間検出センサ３２の検出終了までの検出時間Ｔ１が、基準時間よりも長くなる。従って、この状態がＣＰＵ３６により判別されて、両替口からの小額硬貨の払い出しが停止されるとともに、ブザーまたはランプ等の報知器４２が作動されて、異常状態が報知される。
【００３８】
前記の第１の実施形態によって期待できる効果について、以下に記載する。
（ａ）  この実施形態の両替機の不正防止装置においては、硬貨１４が硬貨通路１５の終端付近を通過する際に、その硬貨１４の通過に伴い検出部材３０が作動されて、硬貨通過時間検出センサ３２により硬貨１４の通過時間が検出されるようになっている。そして、判別手段としてのＣＰＵ３６により、硬貨通過時間検出センサ３２の検出時間が、予め設定された基準時間以内にあるか否かが判別されるようになっている。このため、硬貨１４を糸等に吊して見掛上で投入し、小額硬貨の払い出しを受けるという、不正な両替行為を確実に防止することができる。
【００３９】
（ｂ）  この実施形態の両替機の不正防止装置においては、判別手段としてのＣＰＵ３６により、硬貨識別センサ１７の識別開始から、硬貨通過時間検出センサ３２の検出終了までの時間が、基準時間以内にあるか否かが判別されるようになっている。そのため、この判別結果に基づいて、不正な両替行為を確実に防止することができる。
【００４０】
（第２の実施形態）
次に、この発明の第２の実施形態を、前記第１の実施形態と異なる部分を中心に説明する。
【００４１】
さて、この第２の実施形態においは、図７に示すように、ＣＰＵ３６がタイマ３９に対して、硬貨通過確認センサ２６の検出開始から、硬貨通過時間検出センサ３２の検出終了までにかかった実際の時間Ｔ２を計時させるようになっている。そして、ＣＰＵ３６は、このタイマ３９で計時された実際の検出時間Ｔ２が、ＲＡＭ３８に記憶された基準時間以内にあるか否かを判別するようになっている。
【００４２】
従って、この第２の実施形態においても、前述した第１の実施形態と同様に、このＣＰＵ３６の判別結果に基づいて、不正な両替行為を確実に防止することができる。
【００４３】
（第３の実施形態）
次に、この発明の第３の実施形態を、前記第１の実施形態と異なる部分を中心に説明する。
【００４４】
さて、この第３の実施形態においは、図７に示すように、ＣＰＵ３６がタイマ３９に対して、硬貨通過時間検出センサ３２の検出開始から検出終了までにかかった実際の時間Ｔ３を計時させるようになっている。そして、ＣＰＵ３６は、このタイマ３９で計時された実際の検出時間Ｔ３が、ＲＡＭ３８に記憶された基準時間以内にあるか否かを判別するようになっている。
【００４５】
従って、この第３の実施形態においても、前述した第１の実施形態と同様に、このＣＰＵ３６の判別結果に基づいて、不正な両替行為を確実に防止することができる。
【００４６】
なお、この発明は、次のように変更して具体化することも可能である。
（１）  硬貨識別センサ１７の識別終了から、硬貨通過時間検出センサ３２の検出終了までにかかった実際の時間を計時して、この検出時間を基準時間と判別するように構成すること。
【００４７】
（２）  硬貨通過確認センサ２６の検出終了から、硬貨通過時間検出センサ３２の検出終了までにかかった実際の時間を計時して、この検出時間を基準時間と判別するように構成すること。
【００４８】
（３）  通路開閉部材１８の開閉構成を適宜に変更して構成すること。
（４）  検出部材３０の検出作動構成を適宜に変更して構成すること。
次に、前記実施形態で把握される技術的思想を列挙する。
【００５１】
【発明の効果】
この発明は、以上のように構成されているため、次のような効果を奏する。
請求項１ないし請求項４に記載の発明によれば、硬貨を糸等に吊して見掛上で投入し、小額硬貨の払い出しを受けるという、不正な両替行為を確実に防止することができる。
【図面の簡単な説明】
【図１】  この発明の両替機の不正防止装置の一実施形態を示す断面図。
【図２】  図１の２−２線における部分断面図。
【図３】  図１の３−３線における部分断面図。
【図４】  図１の４−４線における部分断面図。
【図５】  図１の動作状態を示す部分断面図。
【図６】  両替機の不正防止装置の制御回路を示すブロック図。
【図７】  両替機の不正防止装置の動作を示すタイムチャート。
【符号の説明】
１１，１２…ガイド板、１３…硬貨投入口、１４…硬貨、１５…硬貨通路、１５ａ…回収通路、１５ｂ…返却通路、１７…硬貨識別センサ、１８…通路開閉部材、１８ａ…開閉部、２１…バネ、２２…ソレノイド、２３…逆止部材、２６…硬貨通過確認センサ、２６ａ…発光素子、２６ｂ…受光素子、３０…検出部材、３０ａ…透孔、３２…硬貨通過時間検出センサ、３２ａ…発光素子、３２ｂ…受光素子、３６…判別手段としての判別装置を構成するＣＰＵ、３７…ＲＯＭ、３９…タイマ。
【図１】
0003865851.tif 000002
【図２】
0003865851.tif 000003
【図３】
0003865851.tif 000004
【図４】
0003865851.tif 000005
【図５】
0003865851.tif 000006
【図６】
0003865851.tif 000007
【図７】
0003865851.tif 000008